(57)【特許請求の範囲】
【請求項１】
ネットワークを介して相互に通信する１または複数のオーディオ機器と、前記ネットワークを介して前記オーディオ機器を制御する制御端末と、を備えたオーディオシステムであって、
前記オーディオ機器および前記制御端末は、各オーディオ機器が所属するオーディオシステムを示す情報であるシステム識別情報、および、各オーディオ機器の情報が書き込まれたシステム管理テーブルを備え、
前記制御端末は、前記ネットワークに接続されたオーディオ機器を前記オーディオシステムに登録して、該オーディオ機器に対して該オーディオシステムに所属している旨を示す同一のシステム識別情報を付して前記システム管理テーブルに書き込み、
前記制御端末は、新たなオーディオ機器の登録で更新されたシステム管理テーブルの内容であるシステム情報を各オーディオ機器に送信し、
各オーディオ機器は、前記制御端末から受信したシステム情報で自己のシステム管理テーブルを更新し、
前記システム管理テーブルに登録されたオーディオ機器は、無線ネットワークのアクセスポイントをステルスモードで起動し、新規のオーディオ機器の前記ネットワークへの接続を受け付けるとき、前記ステルスモードを解除し、該新規のオーディオ機器の前記オーディオシステムへの登録が完了したのち再度前記ステルスモードを有効にする
オーディオシステム。
【請求項２】
請求項１に記載のオーディオシステムを単位オーディオシステムとし、
同一のネットワーク上に、それぞれ異なるシステム識別情報で識別される複数の単位オーディオシステムが形成された
オーディオシステム。
【請求項３】
請求項１に記載のオーディオシステムを単位オーディオシステムとし、
複数のネットワーク上に、それぞれ異なるシステム識別情報で識別される単位オーディオシステムがそれぞれ形成され、
前記制御端末は、前記複数のネットワーク上に形成された単位オーディオシステムのシステム管理テーブルをそれぞれ記憶しており、各ネットワークに接続したとき、そのネットワーク上に存在する単位オーディオシステムのシステム管理テーブルを制御対象のシステム管理テーブルに設定する
オーディオシステム。
【発明の詳細な説明】
【技術分野】
【０００１】
この発明は、オーディオ機器をネットワークで接続したオーディオシステムに関する。
【背景技術】
【０００２】
複数のオーディオ機器からなるオーディオシステムにおいて、従来は、各オーディオ機器は、アナログまたはデジタルのオーディオケーブルで互いに接続されていた。近年、煩雑なケーブル群を無くすとともに接続形態の自由度を高めるために、各機器をネットワーク（特に無線ネットワーク）で接続し、パケットで音声信号やコマンドメッセージを送受信することが考えられている。
【先行技術文献】
【特許文献】
【０００３】
【特許文献１】特開２００３−１０１５４６号公報
【発明の開示】
【発明が解決しようとする課題】
【０００４】
オーディオケーブルは全ての入出力毎にそれそれ必要であるものの、機器の端子に物理的に接続すれば接続が完了する。これに対して、無線ネットワークは、たとえば特許文献１に示すように、ＳＳＩＤやパスワードなどの設定が必要であり、設定作業がケーブルの接続よりも面倒である。また、Ｅｔｈｅｒｎｅｔ（登録商標：ＩＥＥＥ８０２．３）やＷｉ−Ｆｉ（ＩＥＥＥ８０２．１１）のネットワークの場合、基本的に接続されている全ての機器が他の機器から見えるため、同一ネットワーク上に複数のオーディオシステムを構築することは煩雑だった。
【０００５】
そこで本発明は、ネットワークを用いてオーディオ機器を接続し、且つ、一つのネットワーク上に複数のオーディオシステムを構築可能なオーディオシステムを提供することを目的とする。
【課題を解決するための手段】
【０００６】
本発明のオーディオシステムは、ネットワークを介して相互に通信する１または複数のオーディオ機器と、ネットワークを介してオーディオ機器を制御する制御端末と、を備える。オーディオ機器および制御端末は、各オーディオ機器が所属するオーディオシステムを示す情報であるシステム識別情報、および、各オーディオ機器の情報が書き込まれたシステム管理テーブルを備える。制御端末は、ネットワークに接続されたオーディオ機器をオーディオシステムに登録して、このオーディオ機器に対してオーディオシステムに所属している旨を示す同一のシステム識別情報を付してシステム管理テーブルに書き込み、この新たなオーディオ機器の登録で更新されたシステム管理テーブルのシステム情報を各オーディオ機器に送信する。各オーディオ機器は、制御端末から受信したシステム情報で自己のシステム管理テーブルを更新する。そして、システム管理テーブルに登録されたオーディオ機器は、無線ネットワークのアクセスポイントをステルスモードで起動し、新規のオーディオ機器のネットワークへの接続を受け付けるとき、ステルスモードを解除し、新規のオーディオ機器のオーディオシステムへの登録が完了したのち再度ステルスモードを有効にする。
【０００７】
本発明のオーディオシステムは、上記のオーディオシステムを単位オーディオシステムとし、同一のネットワーク上に、それぞれ異なるシステム識別情報で識別される複数の単位オーディオシステムが形成されたことを特徴とする。
【０００８】
本発明のオーディオシステムは、上記のオーディオシステムを単位オーディオシステムとし、複数のネットワーク上に、それぞれ異なるシステム識別情報で識別される単位オーディオシステムがそれぞれ形成される。制御端末は、複数のネットワーク上に形成された単位オーディオシステムのシステム管理テーブルをそれぞれ記憶しており、各ネットワークに接続したとき、そのネットワーク上に存在する単位オーディオシステムのシステム管理テーブルを制御対象のシステム管理テーブルに設定する。
【発明の効果】
【０００９】
この発明によれば、一つのネットワーク上に１または複数のオーディオ機器からなるオーディオシステムを複数構築可能であり、且つ、１台の制御端末で複数のオーディオシステムを制御することが可能になる。
【図面の簡単な説明】
【００１０】
【図１】この発明が適用されるオーディオシステムの構成図
【図２】この発明が適用され、コントローラとして機能する携帯電話機のブロック図
【図３】この発明が適用されるオーディオ機器のブロック図
【図４】コントローラおよびオーディオ機器に設定されるシステム管理テーブルの例を示す図
【図５】コントローラの起動時の動作を示すフローチャート
【図６】コントローラとオーディオ機器の通信手順を示す図
【図７】コントローラとオーディオ機器の通信手順を示す図
【図８】コントローラとオーディオ機器の通信手順を示す図
【図９】コントローラとオーディオ機器の通信手順を示す図
【発明を実施するための形態】
【００１１】
図１は、本発明が適用されるオーディオシステムの構成を示す図である。この図には、３つのオーディオシステム１０−１，１０−２，１０−３が記載されている。各オーディオシステム１０は、有線ＬＡＮおよび無線ＬＡＮを含むネットワークで接続された複数のオーディオ機器４およびコントローラ１として機能する多機能携帯電話機１を有している。各オーディオ機器およびコントローラ１は、ネットワークを介して相互にオーディオ信号およびコマンドメッセージの送受信を行う。各オーディオシステム１０−１，１０−２，１０−３は、それぞれユニークなシステムＩＤ（以下ＬＩＤと略記する場合がある）で識別される。システムＩＤは、任意の文字列であればよいが、この実施形態ではオーディオシステム１０−１，１０−２，１０−３のシステムＩＤを０１，０２，０３とする。システムＩＤが本発明のシステム識別情報に対応する。なお、オーディオシステム１０を構成する各オーディオ機器４は、有線ＬＡＮ機能および２つの無線ＬＡＮ機能を有している。
【００１２】
オーディオシステム１０−１は、有線ＬＡＮ２および無線ＬＡＮで相互に接続された複数のオーディオ機器４（４−１１〜４−１４）、および、コントローラ１−１として機能する多機能携帯電話機１−１を有している。オーディオシステム１０−２は、有線ＬＡＮ２および無線ＬＡＮで相互に接続された複数のオーディオ機器４（４−２１〜４−２４）、および、コントローラ１−２として機能する多機能携帯電話機１−２を有している。これらオーディオシステム１０−１、１０−２は、有線ＬＡＮ２を共有し、同一セグメントに共存している。
【００１３】
また、オーディオシステム１０−３は、オーディオ機器４−３１、４−３２を有し、コントローラは、オーディオシステム１０−１のコントローラ１−１が共通に用いられる。すなわち、コントローラ（携帯電話機）１−１のユーザがオーディオシステム１０−１の側（たとえば自宅）にいるとき、携帯電話機１−１は、オーディオシステム１０−１のコントローラ１−１として機能し、ユーザがオーディオシステム１０−３の側（たとえばオフィス）にいるとき、携帯電話機１−１は、オーディオシステム１０−３のコントローラとして機能する。コントローラ１の制御対象のオーディオシステム１０の切り換えについては後述する。
【００１４】
上述したように、オーディオシステム１０を構成する各オーディオ機器４は、有線ＬＡＮ機能および２つの無線ＬＡＮ機能を有している。オーディオ機器４は、２つの無線ＬＡＮ機能の一方を用いてアクセスポイントを起動することができる。オーディオ機器４によって起動されたアクセスポイントは内部アクセスポイント４Ａと呼ばれる。内部アクセスポイント４Ａには、下位のオーディオ機器４が接続される。内部アクセスポイント４Ａは、通常は（後述のイニシャル接続時以外は）ステルスモードで動作しており、他の機器にその存在を知られにくいようになっている。もう一方の無線ＬＡＮ機能は、無線ＬＡＮの子機として機能し、上位のオーディオ機器４の内部アクセスポイント４Ａ、または、外部アクセスポイント３，７のいずれかに接続される。
【００１５】
有線ＬＡＮ２にはアクセスポイント（外部アクセスポイント：ルータ等）３が接続され、有線ＬＡＮ６にはアクセスポイント（外部アクセスポイント）７が接続されている。オーディオ機器４−１１、４−２１は有線ＬＡＮ２に接続され、オーディオ機器４−３１は、有線ＬＡＮ６に接続されている。オーディオ機器４−１２，４−１３，４−２２，４−２３および４−３２は、それぞれ上位のオーディオ機器４−１１，４−２１，４−３１の内部アクセスポイント４Ａ−１１，４Ａ−２１，４Ａ−３１に無線ＬＡＮで接続されている。オーディオ機器４−１４は、外部アクセスポイント３に接続されている。また、コントローラ１−１、１−２は、外部アクセスポイント３または７を介して各オーディオ機器４と通信する。
【００１６】
有線ＬＡＮ２，６は、たとえばＥｔｈｅｒｎｅｔ（登録商標：ＩＥＥＥ８０２．３）が用いられればよく、無線ＬＡＮは、Ｗｉ−Ｆｉ（ＩＥＥＥ８０２．１１ｇ）が用いられればよい。
【００１７】
各オーディオ機器４は、有線ＬＡＮ２，６に対する接続の形態に応じてルート機器、ノード機器、リーフ機器、および、ブランチ機器と呼ばれる。ルート機器は、有線ＬＡＮ２，６に直接（ケーブルで）接続されている（ルータにケーブル接続されている）最上位の機器であり、図１においてオーディオ機器４−１１、４−２１および４−３１がルート機器である。ルート機器は、各オーディオシステム１０−１，１０−２，１０−３の構築時に最初に登録されたオーディオ機器であり、各オーディオシステム１０−１，１０−２，１０−３の基点となる。ルート機器は、下位のオーディオ機器４をネットワークに接続してオーディオシステム１０に参加させるための内部アクセスポイント４Ａを起動する。
【００１８】
ノード機器は、無線ＬＡＮによってルート機器（ルート機器の内部アクセスポイント４Ａ）に接続されている中位の機器であり、図１においてオーディオ機器４−１２，４−１３、４−２２，４−２３および４−３２がノード機器である。ノード機器は、下位のオーディオ機器４をネットワークに接続してオーディオシステム１０に参加させるための内部アクセスポイント４Ａを起動する。
【００１９】
リーフ機器は、無線ＬＡＮによってノード機器（ノード機器の内部アクセスポイント４Ａ）に接続されている下位の機器であり、図１においてオーディオ機器４−２４がリーフ機器である。
【００２０】
このオーディオシステムでは、高品質のオーディオ信号の伝送のため、ルート機器には２台までのノード機器の接続が許可される。また、各ノード機器には２台までのリーフ機器の接続が許可される。また、内部アクセスポイント４Ａを用いた接続の階層は、ルート機器−ノード機器−リーフ機器の３階層までとする。したがって、ルート機器を頂点とする無線ＬＡＮのツリーにより、ルート機器を含めて７台までのオーディオ機器を接続することができる。ただし本発明において、ツリーの階層の数、および、各オーディオ機器４に接続可能な下位の機器の台数は、この実施形態に限定されない。
【００２１】
ブランチ機器は、上記のツリーとは別に外部アクセスポイント３，７に無線ＬＡＮで接続され有線ＬＡＮ２，６を経由してオーディオシステム１０内の他のオーディオ機器４と通信するオーディオ機器４であり、図１においては、オーディオ機器４−１４がブランチ機器である。各オーディオシステム１０において、ブランチ機器の台数に制限はない。なお、リーフ機器およびブランチ機器は、内部アクセスポイント４Ａを起動しない。
【００２２】
携帯電話機１はオーディオシステム制御プログラム７０（図２参照）が起動されることによりオーディオシステムコントローラ（以下、コントローラ）１として機能する。携帯電話機１（コントローラ１）は、１つのオーディオシステム１０に対応付けられて、そのオーディオシステム１０に所属するオーディオ機器４とネットワークを介して通信する。コントローラ１は、この通信により、そのオーディオシステム１０内で再生されるオーディオソース（たとえば、どのオーディオ機器４の楽曲をどのオーディオ機器４に配信するかなど）やその音量などを制御する。また、各オーディオ機器４は、ネットワークを介して自己が所属するオーディオ機器４と通信し、相互にオーディオ信号を送受信する。
【００２３】
次に、図２のブロック図を参照して、携帯電話機１の構成を説明する。携帯電話機１は、いわゆるスマートフォンと言われる多機能電話機である。携帯電話機１は、携帯通信網である３Ｇ／４Ｇ通信機能、無線ＬＡＮ（Ｗｉ−Ｆｉ）通信機能、および、Ｂｌｕｅｔｏｏｔｈ（登録商標）通信機能を有している。携帯電話機１は、アプリケーションプログラムであるオーディオシステム制御プログラム７０を起動することにより、コントローラ１として機能し、ネットワーク３経由でオーディオシステムのオーディオ機器４と通信し、ユーザの操作に応じたコマンドメッセージをオーディオ機器４に送信してオーディオシステムを制御する。
【００２４】
携帯電話機１は、バス２６上に、制御部２０、操作部３０、メディアインタフェース３１、Ｗｉ−Ｆｉ通信回路３２、３Ｇ／４Ｇ通信回路３３、および、Ｂｌｕｅｔｏｏｔｈ（登録商標）通信部３４を有している。制御部２０は、ＣＰＵ２１、ＲＯＭ（フラッシュメモリ）２２、ＲＡＭ２３、画像プロセッサ２４および音声プロセッサ２５を含んでいる。画像プロセッサ２４には、ビデオＲＡＭ（ＶＲＡＭ）４０が接続され、ＶＲＡＭ４０には表示部４１が接続されている。表示部４１は液晶のディスプレイを含んでいる。ディスプレイには、待ち受け画面や電話番号などが表示される。また、コントローラ１として機能する場合は、オーディオ機器４を制御するための画面が表示される。音声プロセッサ２５には、Ｄ／Ａコンバータを含むアンプ４２が接続され、アンプ４２にはスピーカ１６が接続されている。
【００２５】
画像プロセッサ２４は、待ち受け画面や電話番号等などの種々の映像を生成するＧＰＵ（Ｇｒａｐｈｉｃｓ  Ｐｒｏｃｅｓｓｉｎｇ  Ｕｎｉｔ，グラフィックス・プロセッシング・ユニット）を備えている。画像プロセッサ２４は、オーディオシステム制御プログラム７０が起動された場合には、ＣＰＵ２１の指示に従ってオーディオコントローラの画像を生成し、これをＶＲＡＭ４０上に展開する。ＶＲＡＭ４０上に展開された画像は表示部４１に表示される。
【００２６】
音声プロセッサ２５は、通話音声をエンコード／デコードするＤＳＰ（Ｄｉｇｉｔａｌ  Ｓｉｇｎａｌ  Ｐｒｏｃｅｓｓｏｒ：デジタル・シグナル・プロセッサ）を有している。音声プロセッサ２５は、デコード／生成した音声をアンプ４２に出力する。アンプ４２は、この音声信号を増幅してスピーカ１６に出力する。
【００２７】
無線ＬＡＮ通信回路３２は、ルータ２との間でＩＥＥＥ８０２．１１ｇなどの規格で無線通信を行い、アクセスポイント３，７を介してオーディオ機器４と通信する。３Ｇ／４Ｇ通信回路３３は、携帯電話通信網を介して、音声通話およびデータ通信を行う。Ｂｌｕｅｔｏｏｔｈ通信部３４は、他のＢｌｕｅｔｏｏｔｈ対応機器と通信し、例えばオーディオ信号の送受信等を行う。
【００２８】
操作部３０は、表示部４１上に形成されたタッチパネルを含み、タッチパネル上のタッチ操作、フリック操作を検出する。オーディオシステム制御プログラム７０が起動されると、表示部４１には、セットアップボタン、スキャンボタンなどの複数の操作子が表示される。操作部３０は、タッチパネルでユーザのタッチ操作およびその座標を検出し、どの操作子が操作されたかを判断する。
【００２９】
メディアインタフェース３１にはメモリカード１５が接続される。メモリカード１５は、たとえばマイクロＳＤカードである。オーディオシステム制御プログラム７０は、メモリカード１５またはＲＯＭ２２に保存される。この実施形態では、図２に示したように、オーディオシステム制御プログラム７０はメモリカード１５に保存されるものとする。なお、オーディオシステム制御プログラム７０は、３Ｇ／４Ｇまたは無ＬＡＮのデータ通信によってダウンロードされてもよく、ＲＯＭ２２またはメモリカード１５に予め記憶されていてもよい。また、メモリカード１５には、オーディオシステムの構成を記憶する記憶エリア７１が設定される。
【００３０】
ＲＯＭ２２には、この携帯電話機１の通話やアプリケーションプログラムを実行するための基本プログラムが記憶されている。また、ＲＯＭ２２はフラッシュメモリであり、基本プログラムのほか、ダウンロードされたアプリケーションプログラムなどを記憶することも可能である。ＲＡＭ２３には、ＣＰＵ２０がオーディオシステム制御プログラム７０を実行する際に使用されるワークエリアが設定される。
【００３１】
次に図３を参照してオーディオ機器４の構成について説明する。オーディオ機器４は、制御部５０、オーディオ処理部５１および操作部５９を有するとともに、２つの無線ＬＡＮ通信部（ＲＦモジュール）５６、５７および有線ＬＡＮ通信部５８を有している。操作部５９は、コネクトボタン５９Ａを有している。制御部５０は、ＣＰＵおよびメモリを含み、オーディオシステムプログラムを記憶している。制御部５０は、オーディオシステムプログラムにより、オーディオ処理部５１および無線ＬＡＮ通信部５６、５７、有線ＬＡＮ通信部５８の動作を制御する。また、制御部５０は、コネクトボタン５９Ａが押下されたとき、このオーディオ機器４をネットワーク３に接続するための動作であるイニシャル接続動作を実行する。イニシャル接続動作の詳細は後述する。
【００３２】
無線ＬＡＮ通信部５６は、ＩＥＥＥ８０２．１１ｇなどの無線ＬＡＮ規格でアクセスポイント３，７と無線通信を行う。また、他の無線ＬＡＮ通信部５７は、アクセスポイント（内部アクセスポイント４Ａ）として起動され、他のオーディオ機器（たとえばオーディオ機器４−１２，４−１３など）を有線ＬＡＮ２に中継する。また、無線ＬＡＮ通信部５７は、このオーディオ機器４のイニシャル接続時にもイニシャル接続用の仮アクセスポイントとして起動され、コントローラ１（携帯電話機１）と通信する。イニシャル接続時の動作は後述する。なお、２つの無線ＬＡＮ通信部５６、５７は、１つのハードウェアを時分割で動作させて実現してもよい。有線ＬＡＮ通信部５８は、ケーブルコネクタを有し、ＩＥＥＥ８０２．３などの通信規格で有線ＬＡＮ２，６−アクセスポイント３，７を介した通信を行う。アクセスポイント３，７には、携帯電話機をハードウェアとするコントローラ１が接続されており、制御部５０は、有線ＬＡＮまたは無線ＬＡＮを経由してコントローラ１と通信し、動作状態を送信したり、コマンドメッセージを受信したりする。
【００３３】
内部アクセスポイント４ＡのＳＳＩＤおよびパスワードは、無線ＬＡＮ通信部５７のＭＡＣアドレスから割り出し可能な文字列にされている。たとえば、ＭＡＣアドレスをオクテット表現したものをＳＳＩＤとし、下３オクテット（機種ＩＤ＋シリアル番号）をパスワードとするなどである。これにより、新たにオーディオシステムに参加するオーディオ機器は、ＳＳＩＤに基づいて、すなわち、ＭＡＣアドレスのベンダーＩＤおよび機種ＩＤに基づいて、内部アクセスポイント４Ａを発見することができ、且つ、自らパスワードを生成してその内部アクセスポイント４Ａに接続することができる。これにより、内部アクセスポイント４Ａに接続する場合の、ユーザによるＳＳＩＤ、パスワードの入力を省略することができる。なお、内部アクセスポイント４ＡのＳＳＩＤ、パスワードの生成方式は上記のものに限定されない。
【００３４】
オーディオ処理部５１は、チューナ５２、オーディオ回路５３、パワーアンプ５４を有している。チューナ５２は、ＦＭ放送またはインターネットからオーディオ信号を受信してオーディオ回路５３に入力する。オーディオ回路５３は、入力されたオーディオ信号に対してイコライズ、音量調整などの処理を行ったのち、この処理されたオーディオ信号をパワーアンプ５４に出力する。パワーアンプ５４は入力されたオーディオ信号を増幅し、外部接続されているスピーカ５５に出力する。スピーカ５５は、入力されたオーディオ信号を音響として放音する。
【００３５】
なお、オーディオ機器４−１１〜４−３２は、それぞれ異なる機器であってよいが、通信機能およびオーディオ信号処理機能の基本的な構成は図３に示したものである。
【００３６】
図４はシステム管理テーブルの一例を示す図である。オーディオシステム１０を構成する各オーディオ機器４およびコントローラ１はそれぞれ自己のシステムのシステム管理テーブルを記憶している。システム管理テーブルには、システムＩＤ、このオーディオシステムに所属するオーディオ機器４の接続位置、機種、上下のＭＡＣアドレス、内部アクセスポイントのＳＳＩＤ、および、外部アクセスポイント情報などが書き込まれる。接続位置は、上述した有線ＬＡＮ２，６に対する接続形態であり、ルート、ノード（１，２）、リーフ（１１，１２，２１，２２）またはブランチの値を持つ。上下のＭＡＣアドレスは、２つの無線ＬＡＮ通信部５６，５７のＭＡＣアドレスであり、無線ＬＡＮにおいて機器を識別する情報となる。外部アクセスポイント情報は、コントローラ１またはブランチ機器４が接続している外部アクセスポイントに関する情報であり、この外部アクセスポイントのＳＳＩＤ、パスワードなどが書き込まれる。なお、システム管理テーブルの記憶内容は図４に示したものに限定されない。
【００３７】
図４（Ａ）は、オーディオシステム１０−１のシステム管理テーブルである。オーディオシステム１０−１は、４台のオーディオ機器１０−１１〜１４を有しているため、システム管理テーブルには、この４台分の機器情報が書き込まれている。また、図４（Ｂ）は、オーディオシステム１０−３のシステム管理テーブルである。オーディオシステム１０−３は、２台のオーディオ機器１０−３１、３２を有しているため、システム管理テーブルには、この２台分の機器情報が書き込まれている。
【００３８】
これらのシステム管理テーブルは、そのオーディオシステム１０を制御するコントローラ１が作成し、各オーディオ機器４に配信する。したがって、オーディオシステム１０−１の各オーディオ機器１０−１１〜１４の制御部５０は、図４（Ａ）のシステム管理テーブルを記憶しており、オーディオシステム１０−３の各オーディオ機器１０−３１，３２の制御部５０は、図４（Ｂ）のシステム管理テーブルを記憶している。なお、オーディオシステム１０−２のオーディオ機器１０−２１〜２４の制御部５０は、図示しないが別途作成されたシステム管理テーブルを記憶している。
【００３９】
コントローラ１−１は、図１に示したように、移動（切り換え）により、オーディオシステム１０−１およびオーディオシステム１０−３の両方を制御するため、図４（Ａ）、（Ｂ）の両方のシステム管理テーブルを記憶している。
【００４０】
コントローラ１は、最初のオーディオ機器４をルート機器として登録することでオーディオシステム１０（たとえばシステムＩＤ＝０１）を構築し、その後このオーディオシステム１０に２台目以降のオーディオ機器４を追加することができる。また、コントローラ１は、制御対象のシステム管理テーブルを切り換えることにより、制御対象のオーディオシステム１０を切り換え、異なるオーディオシステム１０を制御することもできる。たとえば、コントローラ１−１がアクセスポイント３に接続されているときは、図４（Ａ）のシステム管理テーブルを参照することでオーディオシステム１０−１（システムＩＤ＝０１）を制御し、アクセスポイント７に接続されているときは、図４（Ｂ）のシステム管理テーブルを参照することでオーディオシステム１０−３（システムＩＤ＝０３）を制御するなどである。
【００４１】
図５のフローチャートを参照してコントローラ１の起動時の動作を説明する。オーディオシステム制御プログラム７０が起動され携帯電話機１がコントローラ１として起動されると（ステップＳ１０、以下ステップＳｎをＳｎと記す。）、携帯電話機１にコントロールアプリ７０がインストールされて初めて起動されたか否かを判断する（Ｓ１１）。初めて起動された場合には（Ｓ１１でＹＥＳ）、オーディオシステム１０を新規にセットアップすることを促す画面を表示し（Ｓ１２）、新規のオーディオシステム１０の構築処理へ進む。新規のオーディオシステムの構築処理は図６で説明する。なお、初めて起動されて、処理がＳ１２に進んだ場合でも、ユーザの操作によりＳ１３の既存システムの検索処理に進むことが可能である。
【００４２】
初めての起動でない場合には（Ｓ１１でＮＯ）、アクセスポイントを経由してネットワークをスキャンし、ネットワーク上にオーディオシステム１０が存在するかを検索する（Ｓ１３）。既存のオーディオシステム１０では、ルート機器が定期的にシステムＩＤを含むビーコンを送信しているため、コントローラ１は、これを受信することで既存のオーディオシステム１０の存在を検出することができる。オーディオシステム１０が発見されなかった場合には（Ｓ１４でＮＯ）、制御対象がないため、操作待ち画面を表示して待機する（Ｓ１５）。このとき、オーディオシステム制御プログラム７０が終了されずにセットアップ操作がされた場合には、処理をＳ１２に移行させる。
【００４３】
Ｓ１４でオーディオシステム１０が発見された場合には（Ｓ１４でＹＥＳ）、そのなかに、このコントローラ１で前回のプログラム終了時まで接続していたオーディオシステム１０である制御中システムが存在するかを判断する（Ｓ１６）。制御中システムか否かはシステムＩＤを照合することで判断することができる。（直前の制御対象システムのシステムＩＤはコントローラ１内に保存しておくものとする。）制御中システムが存在する場合には（Ｓ１６でＹＥＳ）、その制御中システムのシステム情報をシステム管理テーブルから読み出して画面に表示する（Ｓ１７）。このとき、他のオーディオシステム１０に制御対象を移行させる旨の操作がなければ（Ｓ１８でＹＥＳ）、この制御中システムの制御モードに進む（Ｓ１９）。
【００４４】
Ｓ１６で制御中システムがネットワーク上に発見できなかった場合（Ｓ１６でＮＯ）、または、制御中システムが発見されたがユーザの操作によって制御対象システムを移行することが選択された場合には（Ｓ１８でＹＥＳ）、処理をＳ２０に進める。Ｓ２０では、表示部４１に発見されたオーディオシステム１０の選択リストを表示する。このとき、過去に制御対象とした履歴のあるオーディオシステム１０は、リストの上位に記載すればよい。そして、このリストのなかから制御対象とするオーディオシステム１０の選択を受け付ける（Ｓ２１）。このとき、既存のオーディオシステム１０の制御に移行せず、新規にオーディオシステム１０を構築する旨の選択がされた場合には、処理をＳ１２に移行させる。Ｓ２１でいずれかのオーディオシステム１０が制御対象として選択されると、その選択されたオーディオシステム１０を制御中システムとして設定し（Ｓ２２）、この制御中システムの制御モードに進む（Ｓ２３）。
【００４５】
上記の「制御中システムがネットワーク上に発見できなかった場合（Ｓ１６でＮＯ）」は、たとえば、携帯電話機１−１のユーザが、オーディオシステム１０−１が存在する自宅から、オーディオシステム１０−３が存在するオフィスへ移動した場合などがある。また、「制御中システムが発見されたがユーザの操作によって制御対象システムを移行することが選択された場合（Ｓ１８でＹＥＳ）」は、たとえば、携帯電話機１−１でオーディオシステム１０−１を制御していたユーザが、同じネットワーク上に見えているオーディオシステム１０−２を制御しようとする場合などがある。
【００４６】
また、制御中システムの制御モード（Ｓ１９、Ｓ２３）であっても、いつでも再スキャンを行うことができ、制御対象のオーディオシステム１０を切り換えることができる。なお、コントローラ１は、一度も制御対象としたことのないオーディオシステム１０であっても、そのオーディオシステム１０のルート機器からシステム管理テーブルを取得することができる。
【００４７】
以上の動作により、コントローラ１は、初期起動時には新規のオーディオシステム１０のセットアップを行うことができ、２回目以後の起動時には、前回のプログラム終了時に制御していた制御中システムの制御に自動的に進行することができる。そして、２回目以後であっても、セットアップボタンやスキャンボタンを押すことにより、新規のシステムの構築や現在制御中システム以外のオーディオシステム１０への移行をすることができる。
【００４８】
ここで、コントローラ１は、制御中システムの制御モードでは、以下のような動作を行う。制御中のオーディオシステム１０（たとえばシステムＩＤ＝０１）に所属する各オーディオ機器４とその設置場所（寝室、食堂など）を表示して、オーディオ機器４の選択を受け付ける。選択されたオーディオ機器４で再生可能なオーディオソースまたは楽曲の選択を受け付ける。選択されたオーディオ機器４に対して指定されたオーディオソースまたは楽曲の再生を開始するようにコマンドメッセージを送信する。このコマンドメッセージは選択されたオーディオ機器４に対してユニキャストで送信される。選択されたオーディオ機器４は、指定されたオーディオソースまたは楽曲を再生し、自己のスピーカから放音するとともに、このオーディオ信号をオーディオシステム１０に所属する他のオーディオ機器４に対しても送信する。この送信は上記所属するオーディオ機器４に対するマルチキャストで行われる。また、コントローラ１は、再生（放音）される楽音の音量を制御するボリュームコントロール画面を表示し、ユーザによる音量制御を受け付ける。ユーザにより音量調整の操作がされると、その操作内容に基づく音量制御コマンドメッセージを各オーディオ機器４に対して送信する。このコマンドメッセージは、所属するオーディオ機器４に対してマルチキャストで送信してもよく、各オーディオ機器４の制御スケールに合わせた別々のコマンドメッセージを編集してそれぞれユニキャストで送信されてもよい。
【００４９】
次に、図６〜図９を参照してオーディオシステム１０にオーディオ機器４を登録する手順について説明する。
【００５０】
オーディオシステム１０は、ケーブルで有線ＬＡＮ２に接続されたオーディオ機器４がコントローラ１と通信してルート機器として設定されることで構築される。その後、このルート機器に接続されるノード機器、および、ノード機器に接続されるリーフ機器などが追加される。また、ブランチ機器は、ルート機器の設置後、すなわちオーディオシステム１０の構築後は任意に設置することが可能である。オーディオシステム１０の構築およびオーディオシステム１０へのオーディオ機器４の登録は、オーディオ機器４が、その（そのシステムＩＤの）オーディオシステム１０を制御するコントローラ１と通信し、コントローラ１がそのオーディオシステム１０のシステム管理テーブルにそのオーディオ機器４を登録することによって行われる。
【００５１】
図６は、新規にオーディオシステム１０を構築する場合のコントローラ１とルート機器となるオーディオ機器４との通信手順を示す図である。携帯電話機１は、オーディオシステム制御プログラム７０が起動されて、コントローラ１として機能している。ユーザの操作によってコントローラ１がセットアップモードになると(Ｓ３１)、表示部４１にオーディオ機器４のコネクトボタン５９Ａを押下することを促す案内画面が表示される。この画面の案内に従いユーザはオーディオ機器４のコネクトボタン５９Ａを押下する（Ｓ４１）。次に、コントローラ１は、有線ＬＡＮ２（または６）に接続された新規のオーディオ機器４を検索する（Ｓ３２）。この検索はポーリングなど返信を要求するメッセージを送信することで行われる。オーディオ機器４は、この検索に対して応答する（Ｓ４２）。これにより、コントローラ１とオーディオ機器４は、有線ＬＡＮ２，アクセスポイント３を介して相互通信を開始する。
【００５２】
オーディオ機器４−１２は、自分自身の機器情報をコントローラ１−１に送信する（Ｓ７６）。コントローラ１−１は、現在管理しているオーディオシステム１０−１（ＬＩＤ１０）にこのオーディオ機器４−１２を追加登録してシステム情報を更新する（Ｓ５５）。オーディオ機器４は、自分自身の機器情報をコントローラ１に送信する（Ｓ４３）。コントローラ１は、このオーディオ機器４をルート機器として新規にオーディオシステム１０を構築する。オーディオシステム１０にシステムＩＤ（たとえば“０１”）を割り当て（Ｓ３４）、図４に示すシステム管理テーブルを作成して、現在通信しているオーディオ機器４をルート機器とするオーディオシステムを構築する（Ｓ３５）。システム管理テーブルの内容であるシステム情報をルート機器となったオーディオ機器４に送信し（Ｓ３６）、セットアップモードを終了する（Ｓ３７）。オーディオ機器４はこのシステム情報を受信して（Ｓ４４）自身のシステム管理テーブルを作成する（Ｓ４５）。これにより、オーディオ機器４（ルート機器）は、オーディオシステム１０の構成要素（コンポーネント）となり、このオーディオシステムを制御するコントローラ１によって、再生する楽曲やその音量などを制御されるようになる。オーディオ機器４は、アクセスポイントとして起動するが、通常はステルスモードという、外部からＳＳＩＤが確認できない状態になっている。（Ｓ４６）。
【００５３】
図７は、構築済みのオーディオシステムに、ノード機器が追加される場合の通信手順を示す図である。この例では、オーディオシステム１０−１のルート機器（オーディオ機器４−１１）にノード機器（オーディオ機器４−１２）が接続される場合について説明する。
【００５４】
コントローラ１−１として機能している携帯電話機１−１が、ユーザの操作によってセットアップモードになる(Ｓ５１)と、表示部４１にオーディオ機器４のコネクトボタン５９Ａを押下することを促す案内画面が表示される。この画面の案内に従いユーザはオーディオ機器４−１２のコネクトボタン５９Ａを押下する（Ｓ７１）。コントローラは、システム管理テーブルに既に登録されているオーディオ機器４−１１（ルート機器）にステルスモードの解除を指示する（Ｓ５２）。これによりオーディオ機器４−１１は、内部アクセスポイント４Ａ−１１のステルスモードを解除し、自己の存在を知らせるビーコンを送信してオーディオ機器４−１２からのアクセスを可能にする（Ｓ６１）。内部アクセスポイント４Ａが送信するビーコンは、いわゆるＷｉ−Ｆｉのビーコンパケットであり、ＳＳＩＤ、チャネル情報、転送速度などの情報を含むものである。次に、コントローラ１−１は、新規機器の検索を開始する（Ｓ５３）。
【００５５】
オーディオ機器４−１２は、ユーザによってコネクトボタン５９Ａが押下されると（Ｓ７１）、イニシャル接続モードになり、接続可能なアクセスポイントを検索する（Ｓ７２）。この検索で、オーディオ機器４−１２は、接続可能なアクセスポインとして、内部アクセスポイント４Ａ−１１を発見する。上述したように、内部アクセスポイント４Ａ−１１は、オーディオ機器４−１２から見てオーディオシステム１０の機器であることを識別可能なＳＳＩＤを有しており、かつ、そのＳＳＩＤ（またはＭＡＣアドレス）からパスワードを生成して接続可能である。オーディオ機器４−１２は、このＳＳＩＤおよび生成したパスワードを用いてこの内部アクセスポイント４Ａ−１１（ルート機器４−１１）に接続する（Ｓ７３）。そして、ルート機器４−１１からオーディオシステム１０−1（システムＩＤ＝０１）の現時点での（オーディオ機器４−１２が登録される前の）システム情報を取得する（Ｓ６２、Ｓ７４）。これでオーディオ機器４−１２は、オーディオシステム１０−１のオーディオ機器４（現状４−１１のみ）と通信可能になる。ただし、まだコントローラ１−１に登録されていない。
【００５６】
オーディオ機器４−１２は、アクセスポイント３、有線ＬＡＮ２、ルート機器４−１１を介してコントローラ１−１からの（Ｓ５３で実行されている）検索メッセージを受信し、このメッセージに応答する（Ｓ７５）。これにより、コントローラ１−１とオーディオ機器４−１２は、ルート機器４−１１、有線ＬＡＮ２、アクセスポイント３を介した相互の通信を開始する。
【００５７】
オーディオ機器４−１２は、自分自身の機器情報をコントローラ１−１に送信する（Ｓ７６）。コントローラ１−１は、現在管理しているオーディオシステム１０−１（システムＩＤ＝０１）のシステム管理テーブルにこのオーディオ機器４−１２を追加登録してシステム情報を更新する（Ｓ５５）。更新したシステム情報をオーディオシステム１０−１の全てのオーディオ機器４に送信して（Ｓ５６）、セットアップモードを終了する（Ｓ５７）。セットアップモード終了の通知も全てのオーディオ機器４に送信される。
【００５８】
オーディオ機器４−１２はこのシステム情報を受信して、自身が所属するオーディオシステム１０−１の管理テーブルを設定する（Ｓ７７）。これにより、オーディオ機器４−１２は、オーディオシステム１０−１の構成要素（コンポーネント）となり、コントローラ１−１によって再生する楽曲やその音量などが制御されるようになる。こののちオーディオ機器４−１２は、ステルスモードで内部アクセスポイント４Ａ−１２を起動する（Ｓ７８）。また、コントローラ１−１からシステム情報を受信したルート機器４−１１は、このシステム情報で内部に記憶している管理テーブルを更新する（Ｓ６３）。そして、内部アクセスポイント４Ａ−１１をステルスモードに戻す（Ｓ６４）。以上の処理により、構築済みのオーディオシステム１０に新たな機器を追加することができる。
【００５９】
図８は、構築済みのオーディオシステム１０に、さらにリーフ機器が追加される場合の通信手順を示す図である。この例では、オーディオシステム１０−２のノード機器４−２３にリーフ機器４−２４が接続される場合について説明する。なお、ノード機器にリーフ機器が接続される場合の手順は、ルート機器にノード機器が接続される場合の手順とほぼ同様である。
【００６０】
コントローラ１−２として機能している携帯電話機１−２が、ユーザの操作によってセットアップモードになると(Ｓ８１)、表示部４１にオーディオ機器４のコネクトボタン５９Ａを押下することを促す案内画面が表示される。この画面の案内に従いユーザはオーディオ機器４−２４のコネクトボタン５９Ａを押下する（Ｓ１０１）。コントローラ１−２は、システム管理テーブルに既に登録されているオーディオ機器４（ルート機器４−２１、ノード機器４−２２、４−２３）にステルスモードの解除を指示する（Ｓ８２）。これにより各オーディオ機器４は、アクセスポイントのステルスモードを解除し、自己の存在を知らせるビーコンを送信してオーディオ機器４−２４からのアクセスを可能にする（Ｓ９１）。次に、コントローラ１−２は、新規機器の検索を開始する（Ｓ８３）。
【００６１】
オーディオ機器４−２４は、ユーザによってコネクトボタン５９Ａが押下されると（Ｓ１０１）、イニシャル接続モードになり、接続可能なアクセスポイントを検索する（Ｓ１０２）。ここでは、オーディオ機器４−２４がノード機器４−２３の内部アクセスポイント４Ａ−２３を発見したものとする。オーディオ機器４−２４は、内部アクセスポイント４Ａ−２３のＭＡＣアドレスから割り出したＳＳＩＤおよびパスワードを用いて内部アクセスポイント４Ａ−２３（ノード機器４−２３）に接続する（Ｓ１０３）。そして、ノード機器４−２３からオーディオシステム１０−２（システムＩＤ＝０２）の現時点での（オーディオ機器４−２３が登録される前の）システム情報を取得する（Ｓ９２、Ｓ１０４）。これでオーディオ機器４−２４は、オーディオシステム１０−２のオーディオ機器４と通信可能になる。ただし、まだコントローラ１−２に登録されていない。
【００６２】
オーディオ機器４−２４は、アクセスポイント３、有線ＬＡＮ２、ルート機器４−２１、ノード機器４−２３を介してコントローラ１−２からの（Ｓ８３の）検索メッセージを受信し、このメッセージに応答する（Ｓ１０５）。これにより、コントローラ１−１とオーディオ機器４−１２は、ノード機器４−２３、ルート機器４−２１、有線ＬＡＮ２、アクセスポイント３を介した相互の通信を開始する。
【００６３】
オーディオ機器４−２４は、自分自身の機器情報をコントローラ１−２に送信する（Ｓ１０６）。コントローラ１−２は、現在管理しているシステムＩＤ０２のオーディオシステム１０−２のシステム管理テーブルにこのオーディオ機器４−２４を追加登録してシステム情報を更新する（Ｓ８５）。更新したシステム情報をオーディオシステム１０−２の全てのオーディオ機器４に送信して（Ｓ８６）、セットアップモードを終了する（Ｓ８７）。セットアップモード終了の通知も全てのオーディオ機器４に送信される。
【００６４】
オーディオ機器４−２４はこのシステム情報を受信して、自身が所属するオーディオシステム１０−２の管理テーブルを設定する（Ｓ１０７）。これにより、オーディオ機器４−２４は、オーディオシステム１０−２の構成要素（コンポーネント）となり、コントローラ１−２によって再生する楽曲やその音量などが制御されるようになる。また、コントローラ１−２からシステム情報を受信したノード機器４−２３は、このシステム情報で内部に記憶している管理テーブルを更新する（Ｓ９３）。そして、内部アクセスポイント４Ａ−２３をステルスモードに戻す（Ｓ９４）。並行して、ルート機器４−２１、ノード機器４−２２においても、Ｓ９３、Ｓ９４と同様の処理が行われる。
【００６５】
図９は、構築済みのオーディオシステム１０に、さらにブランチ機器が追加される場合の通信手順を示す図である。この例では、オーディオシステム１０−１ののブランチ機器としーディオ機器４−１４が外部アクセスポイント３に接続される場合について説明する。
【００６６】
コントローラ１−１として機能している携帯電話機１−１が、ユーザの操作によってセットアップモードになると(Ｓ１１１)、表示部４１にオーディオ機器４のコネクトボタン５９Ａを押下することを促す案内画面が表示される。この画面の案内に従いユーザはオーディオ機器４−１４のコネクトボタン５９Ａを押下する（Ｓ１３１）。コントローラ１−１は、システム管理テーブルに既に登録されているオーディオ機器（ルート機器４−１１、ノード機器４−１２、４−１３）にステルスモードの解除を指示する（Ｓ１１２）。これにより各オーディオ機器４は、内部アクセスポイント４Ａのステルスモードを解除し、自己の存在を知らせるビーコンを送信してオーディオ機器４−１４からのアクセスを可能にする（Ｓ１２４）。次に、コントローラ１−１は、新規機器の検索を開始する（Ｓ１１３）。
【００６７】
ユーザによってオーディオ機器４−１４のコネクトボタン５９Ａが押下されると（Ｓ１３１）、オーディオ機器４−１４は、イニシャル接続モードになり、接続可能なアクセスポイントを検索する（Ｓ１３２）。最寄りのアクセスポイントが選択されるが、ここではノード機器４−１３の内部アクセスポイント４Ａ−１３が選択されたものとする。オーディオ機器４−１４は、内部アクセスポイント４Ａ−１３のＭＡＣアドレスから割り出したＳＳＩＤおよびパスワードを用いて内部アクセスポイント４Ａ−１３（ノード機器４−１３）に接続する（Ｓ１３３）。そして、ノード機器４−１３からこのオーディオシステム１０−１（システムＩＤ＝０１）の現時点でのシステム情報を取得する（Ｓ１２５、Ｓ１３４）。
【００６８】
その後、ユーザの操作により、または、システム情報を参照したオーディオ機器４−１４の制御部５０の判断により、外部アクセスポイント３に接続されるブランチ機器となる旨が選択されると（Ｓ１３５）、この時点でアクセスポイント３に無線接続した端末が無く、アクセスポイント３のＳＳＩＤ，ＰＷが不明なので、これを入手するため、ノード機器４−１３との接続を解除してイニシャル接続時のみの仮アクセスポイントをスタンドアローンで起動する（Ｓ１３６）。すなわち、有線ＬＡＮ２には接続されないオーディオ機器４−１４に接続するのみのためのアクセスポイントを起動する。コントローラ１−１は、このイニシャル接続仮アクセスポイントのＳＳＩＤおよびパスワードを予め記憶している。すなわち、このＳＳＩＤおよびパスワードは、オーディオシステム制御プログラム７０に予めデータとして書き込まれている。したがって、コントローラ１−１は、Ｓ８３で開始した新規機器検索の中でこの仮アクセスポイントを発見し、外部アクセスポイント３との接続を一旦解除して、オーディオ機器４−１４が起動した仮アクセスポイントに接続する（Ｓ１１４）。
【００６９】
以下、コントローラ１−１が、オーディオ機器４−１４に対して、アクセスポイント３の接続情報を送信する手順を行う。携帯電話機１−１にアプリケーションプログラムをインストールして実現されるコントローラ１は、携帯電話機１のシステムプログラムからアクセスポイント３のＳＳＩＤ、パスワードを取得することができない可能性が高いため、ここでは、ユーザにアクセスポイント３のＳＳＩＤおよびパスワードの入力を求める（Ｓ１１５）。ＳＳＩＤの入力は、そのとき見えている接続先（ＳＳＩＤ）の一覧をディスプレイに表示し、ユーザにアクセスポイント３のＳＳＩＤを選択させる方式でよい。パスワード（通常はアクセスポイント３の本体に表記されている）は、ユーザに入力させる。そして、この入力された接続情報を仮アクセスポイントとして接続しているオーディオ機器４−１４に送信する（Ｓ１１６）。そして、オーディオ機器４−１４がこの接続情報を受信する（Ｓ１３７）。
【００７０】
コントローラ１−１は、オーディオ機器４−１４にアクセスポイント３の接続情報（ＳＳＳＳＩＤ，パスワード）を送信したのち、イニシャル接続用アクセスポイントとの接続を解消する（Ｓ１１７）。並行して、オーディオ機器４−１４は、アクセスポイント３の接続情報をコントローラ１−１から受信すると、イニシャル接続用の仮アクセスポイントを停止する（Ｓ１３８）。
【００７１】
コントローラ１−１は、一旦接続を解除した外部アクセスポイント３に再度接続する（Ｓ１１８）。オーディオ機器４−１４も取得した接続情報（ＳＳＩＤとパスワード）を用いて外部アクセスポイント３に接続する（Ｓ１３９）。オーディオ機器４−１４は、アクセスポイント３を介してコントローラ１−１からの（Ｓ１１３から継続している）検索メッセージを受信し、このメッセージに応答する（Ｓ１４０）。これにより、コントローラ１−１とオーディオ機器４−１４は、アクセスポイント３を介した相互の通信を開始する。
【００７２】
オーディオ機器４−１４は、自分自身の機器情報をコントローラ１−１に送信する（Ｓ１４１）。コントローラ１−１は、この機器情報を受信し（Ｓ１１９）、現在管理しているオーディオシステム１０−１（システムＩＤ＝０１）にこのオーディオ機器４−１４を追加登録してシステム情報を更新する（Ｓ１２０）。更新したシステム情報をオーディオシステム１０−１の全てのオーディオ機器４に送信して（Ｓ１２１）、セットアップモードを終了する（Ｓ１２２）。セットアップモード終了の通知も全てのオーディオ機器４に送信される。
【００７３】
オーディオ機器４−１４はこのシステム情報を受信して、自身が所属するオーディオシステム１０−１の管理テーブルを設定する（Ｓ１４２）。これにより、オーディオ機器４−１４は、オーディオシステム１０−１の構成要素（コンポーネント）となり、コントローラ１−１によって再生する楽曲やその音量などが制御されるようになる。また、コントローラ１−１からシステム情報を受信したノード機器４−１３は、このシステム情報で内部に記憶している管理テーブルを更新する（Ｓ１２６）。そして、内部アクセスポイント４Ａ−１３をステルスモードに戻す（Ｓ１２７）。並行して、ルート機器４−１１、ノード機器４−１２においても、Ｓ１２６、Ｓ１２７と同様の処理が行われる。
【００７４】
なお、この発明のオーディオ機器は、映像再生機能を持つオーディオ・ビデオ（ＡＶ）機器であってもよく、これらが混在するシステムを含む。また、この実施形態においては、制御端末装置を、オーディオシステム制御プログラム７０（アプリケーションプログラム）がインストールされた携帯電話機１で実現しているが、それ以外の構成であってもよい。たとえば、タブレットにオーディオシステム制御プログラム７０をインストールしたものであってもよく、専用の端末装置であってもよい。
【符号の説明】
【００７５】
１（１−１，２）  携帯電話機（コントローラ）
２、６  有線ＬＡＮ
３、７  アクセスポイント（外部アクセスポイント）
４（４−１１〜４−３２）  オーディオ機器
４Ａ（４Ａ−１１〜４Ａ−３１）  内部アクセスポイント
１０（１０−１，２，３）  オーディオシステム
【図１】
0006638249.tif 000002
【図２】
0006638249.tif 000003
【図３】
0006638249.tif 000004
【図４】
0006638249.tif 000005
【図５】
0006638249.tif 000006
【図６】
0006638249.tif 000007
【図７】
0006638249.tif 000008
【図８】
0006638249.tif 000009
【図９】
0006638249.tif 000010